(57)【要約】【課題】  郵便物などを無理なく投入する一方、容易に取り出す。【解決手段】円盤状の左右の側板２と、それぞれ側板２の曲率半径よりも若干小径のほぼ半円状に形成され、左右の側板２間の略下半部を覆うように左右の側板２にわたって架設された受け部３および左右の側板２間の略上半部を覆うように左右の側板２にわたって架設されたカバー部４と、後端が左右の側板２の略中心に回動自在に軸支されるとともに、カバー部４の内周面にほぼ対応する外周面を有する蓋部５と、から構成される。そして、受け部３の前端縁とカバー部４の前端縁との間に投入口１ａが形成され、受け部３の後端縁とカバー部４の後端縁近傍の外面との間に取出口１ｂが形成される。また、蓋部５は、通常、蓋部５の前端縁近傍の内面が受け部３の前端縁近傍の外面に接触して投入口を閉鎖する。【選択図】  図２
2005278671.tif 000002
【特許請求の範囲】
【請求項１】
建物の壁面に形成された開口部に装着される郵便受けであって、円盤状の左右の側板と、側板の曲率半径よりも若干小径のほぼ半円状に形成され、左右の側板間の略下半部を覆うように左右の側板にわたって架設された受け部と、側板の曲率半径よりも若干小径のほぼ半円状に形成され、左右の側板間の略上半部を覆うように左右の側板にわたって架設されたカバー部と、後端が左右の側板の略中心に回動自在に軸支されるとともに、カバー部の内周面にほぼ対応する外周面を有する蓋部と、からなり、受け部の前端縁とカバー部の前端縁との間に投入口が形成される一方、受け部の後端縁とカバー部の後端縁近傍の外面との間に取出口が形成され、また、蓋部の回動操作によって、蓋部の前端縁近傍の内面が受け部の前端縁近傍の外面に接触して投入口を閉鎖する位置と蓋部の前端縁近傍がカバー部の前端縁に達する位置との間で投入口を開閉することを特徴とする郵便受け。
【発明の詳細な説明】
【技術分野】
【０００１】
この発明は、建物の壁面に設けられる郵便受けに関するものである。
【背景技術】
【０００２】
従来より、建物の壁面、例えば、玄関ドアに郵便受けを設けることが提案されている。例えば、特許文献１および２に示されるように、玄関ドアに形成された開口部の屋外側に開閉蓋を設けるとともに、その室内側に筐体を設け、開閉蓋を押し開いて投入された郵便物、新聞あるいはカタログなどを筐体内に収容し、家人が筐体から郵便物などを取り出すように構成された郵便受けが知られている。
【特許文献１】特開平７−５９６４３号公報
【特許文献２】実開平６−５０５７９号公報
【発明の開示】
【発明が解決しようとする課題】
【０００３】
ところで、前述した郵便受けの開閉蓋は、通常、投入口を閉鎖して外部からの冷気や害虫などを遮断する一方、郵便物などを室内側に投入できる機能が要求される。しかるに、開閉蓋は、開口部の上端部に開閉自在に軸支されるとともに、自重により、あるいは、スプリングにより開口部を常時閉鎖する方向に付勢されており、しかも、開閉蓋を押し開くことによって開口される投入口は、充分な大きさに形成されていないため、開閉蓋を押し開いて郵便物などを投入する際、郵便物などが開閉蓋に挟まれることが多々発生する。このように、開閉蓋によって郵便物などが挟まれると、室内側からは取り出しにくい他、外部との遮断機能が作用せず、外部からの冷風などが郵便物などを挟んでいる開閉蓋の隙間から室内側に浸入するおそれがある。
【０００４】
本発明は、このような問題点に鑑みてなされたもので、外部との遮断機能を常時維持しつつ郵便物などを無理なく投入することができるともに、室内側から容易に取り出すことができる郵便受けを提供するものである。
【課題を解決するための手段】
【０００５】
本発明は、建物の壁面に形成された開口部に装着される郵便受けであって、円盤状の左右の側板と、側板の曲率半径よりも若干小径のほぼ半円状に形成され、左右の側板間の略下半部を覆うように左右の側板にわたって架設された受け部と、側板の曲率半径よりも若干小径のほぼ半円状に形成され、左右の側板間の略上半部を覆うように左右の側板にわたって架設されたカバー部と、後端が左右の側板の略中心に回動自在に軸支されるとともに、カバー部の内周面にほぼ対応する外周面を有する蓋部と、からなり、受け部の前端縁とカバー部の前端縁との間に投入口が形成される一方、受け部の後端縁とカバー部の後端縁近傍の外面との間に取出口が形成され、また、蓋部の回動操作によって、蓋部の前端縁近傍の内面が受け部の前端縁近傍の外面に接触して投入口を閉鎖する位置と蓋部の前端縁近傍がカバー部の前端縁に達する位置との間で投入口を開閉することを特徴とするものである。
【０００６】
本発明によれば、蓋部を押し上げると、蓋部はその軸支部回りに回動し、受け部の前端縁とカバー部の前端縁との間に形成される投入口が開口されることから、この投入口を通して郵便物などを投入することができる。そして、投入された郵便物などは、ほぼ半円状の受け部の底に収容される。この場合、受け部の前端縁とカバー部の前端縁との間に形成される投入口は、手を挿入できる充分な高さを有しており、郵便物などを内部に無理なく投入することができる。郵便物の投入を終了して投入口から手を引き出し、合わせて蓋部を引き下げれば、蓋部が回動し、その前端縁近傍の内面が受け部の前端縁近傍の外面に接触して投入口を閉鎖する。このため、投入口は蓋部によって外部と遮断され、外部から冷風などが室内側に浸入することを確実に防止することができる。一方、内部に収容された郵便物などは、室内側において、受け部の後端縁とカバー部の後端縁近傍の外面との間に形成された取出口を通して容易に取り出すことができる。
【発明の効果】
【０００７】
本発明によれば、外部との遮断機能を常時維持しつつ郵便物を無理なく投入することができるともに、室内側から容易に取り出すことができる。
【発明を実施するための最良の形態】
【０００８】
以下、本発明の実施の形態を図面に基づいて説明する。
【０００９】
図１および図２には、本発明の郵便受け１の一実施形態が示されている。
【００１０】
この郵便受け１は、建物の壁体Ｋに形成された開口部Ｋａに装着されるものであり、円板状の左右の側板２，２と、左右の側板２，２にわたって架設された受け部３およびカバー部４と、左右の側板２，２に回動自在に軸支された蓋部５と、から構成され、それぞれアルマイト仕上げされたアルミ板を成形して形成されている。
【００１１】
この郵便受け１の大きさは、直径が２７０ｍｍの側板２の範囲内に収容されるように設定されており、壁体Ｋからの突出量は可及的に抑制されている。また、側板２，２の内面間隔は、新聞（Ａ４サイズの縦寸法）を投入することができるように設定されている。
【００１２】
受け部３は、側板２の曲率半径よりも若干小径の曲率半径のほぼ半円状に形成されるとともに、その前端縁近傍が側板２の外周縁から徐々に離れて内方に向かうように、より小さな曲率半径に形成されている。そして、受け部３は、その前端縁が後端縁よりも若干高く位置するように、左右の側板２，２の下半部側外周縁近傍に沿って架設されて、左右の側板２、２間の略下半部を覆っている。
【００１３】
カバー部４は、側板２の曲率半径よりも若干小径の曲率半径のほぼ半円状に形成されるとともに、その後端縁近傍が側板２の外周縁から徐々に離れて内方に向かうように、より小さな曲率半径に形成されている。そして、カバー部４は、その前端縁が後端縁よりも若干高く位置するように、かつ、後端縁が側板２，２によって区画された円柱状空間の中心に接近するように、左右の側板２，２の上半部側外周縁近傍に沿って架設されて、左右の側板２、２間の略上半部を覆っている。
【００１４】
ここで、受け部３の前端縁とカバー部４の前端縁との間に投入口１ａが形成され、また、受け部３の後端縁とカバー部４の後端縁近傍の外面との間に取出口１ｂが形成されている。この場合、投入口１ａの高さおよび取出口１ｂの高さは、手を充分に挿入することができるように設定されている。
【００１５】
蓋部５は、後端が左右の側板２，２の略中心に回動自在に軸支されるとともに、カバー部４の内周面に対応する外周面を有するように形成される一方、前端縁近傍が外方に向けて湾曲されている。そして、蓋部５の前端縁は、その厚みよりも若干大きな直径の円柱状に形成され、その外周面にゴムなどの滑り止めが装着されている。また、蓋部５は、通常、その前端縁近傍の内面が受け部２の前端縁近傍の外面にほぼ接触して投入口１ａを閉鎖する位置にあり、投入口１ａを閉鎖する位置から蓋部５の前端縁を持ち上げることにより、投入口１ａを開放する位置、すなわち、前端縁近傍がカバー部４の前端縁に達する位置まで回動させることができる。この際、蓋部５の外周面がカバー部４の内周面に沿って移動する。
【００１６】
次に、このように構成された郵便受け１の使用方法を図３に基づいて説明する。
【００１７】
郵便物Ｙを配達する場合は、蓋部５を押し上げると、蓋部５はその軸支部回りに回動し、受け部３の前端縁とカバー部４の前端縁との間に形成される投入口１ａが開口されることから、この投入口１ａを通して郵便物Ｙを投入することができる（図３（ａ）参照）。この場合、受け部３の前端縁とカバー部４の前端縁との間に形成される投入口１ａは、手を挿入できる充分な高さを有しており、郵便物Ｙを内部に無理なく投入することができる。
【００１８】
郵便物Ｙの投入を終了して投入口１ａから手を引き出し、合わせて蓋部５を引き下げれば、蓋部５が回動し、その前端縁近傍の内面が受け部３の前端縁近傍の外面に接触して投入口１ａを閉鎖することができる。このため、投入口１ａは蓋部５によって外部と遮断され、外部から冷風などが室内側に浸入することを確実に防止することができる。
【００１９】
一方、投入された郵便物Ｙは、ほぼ半円状に湾曲された受け部３の底に収容される（図３（ｂ）参照）。そして、受け部３に収容された郵便物Ｙは、室内側にから取出口１ｂを通して容易に取り出すことができる（図３（ｃ）参照）。この場合、受け部３の後端縁とカバー部４の後端縁近傍の外面との間に形成される取出口１ｂは、手を挿入できる充分な高さを有しており、郵便物Ｙを内部から容易に取り出すことができる。
【００２０】
なお、前述した実施形態においては、壁体Ｋの開口部Ｋａに郵便受け１を設けた場合を説明したが、玄関ドアに設けることもできる。
【産業上の利用可能性】
【００２１】
以上のように本発明によれば、郵便物などを配達する側にも、受け取る側にも使い勝手のよい郵便受けを提供することができる。
【図面の簡単な説明】
【００２２】
【図１】本発明の郵便受けの一実施形態を示す斜視図である。
【図２】図１の郵便受けの縦断面図である。
【図３】本発明の郵便受けの使用方法を説明する縦断面図である。
【符号の説明】
【００２３】
１  郵便受け
１ａ  投入口
１ｂ  取出口
２  側板
３  受け部
４  カバー部
５  蓋部
【図１】
2005278671.tif 000003
【図２】
2005278671.tif 000004
【図３】
2005278671.tif 000005